(57)【要約】【課題】  ディスクインフォメーションは光ディスクの製造ロット単位で内容が同一であるため、全てのメーカの光ディスクに対し、ディスクインフォメーションの情報をそのまま利用するわけにはいかない。【解決手段】  照合用データベース２２には、メーカを識別するディスクインフォメーションの照合用キーが予め複数のメーカ分記憶されており、もし、再生したディスクインフォメーションの値が照合用キーと一致するときは、その照合用キーから光ディスクの製造メーカを推定し、推定したメーカのディスクインフォメーションの記録条件設定値をそのまま利用する。自己記録再生により取得して記憶した最適値が照合用データベース２２に記憶されているなら、その最適値を設定データとして利用する。これにより、一般的な自己記録再生を行う記録条件学習動作を省略する。【選択図】            図１
2005078742.tif 000002
【特許請求の範囲】
【請求項１】
記録媒体に適した記録条件を設定するための記録条件を学習する記録条件学習装置において、
前記記録媒体に予め記録されている当該記録媒体の基本情報を当該記録媒体から読み取る読み取り手段と、
媒体メーカ毎の前記基本情報の値を示す照合用キーと、記録再生により得た記録条件の諸情報からなる設定データのうち、少なくとも前記照合用キーが格納されている照合用データベースと、
前記読み取り手段からの前記基本情報と、前記照合用データベースから読み出した前記照合用キーとを比較し、両者が一致したときは一致した前記基本情報をそのまま使用し、又は前記照合用データベースから一致した前記照合用キーに対応した設定データを読み出して前記記録媒体の記録条件として設定する記録条件設定手段と
を有し、自己記録再生を行う記録条件学習動作を省略することを特徴とする記録条件学習装置。
【発明の詳細な説明】
【技術分野】
【０００１】
本発明は記録条件学習装置に係り、特に記録型光ディスクの記録条件を求める場合、当該光ディスクの公称記録条件を記録したディスクインフォメーションを読み出して、それが既知の値なら信頼できる記録条件として判断し、その値をそのまま記録条件として設定し、一般的な自己記録再生を行う記録条件学習動作を省略する記録条件学習装置に関する。
【背景技術】
【０００２】
図４は本発明が適用される一般的な記録型光ディスク装置の一例のブロック図を示す。同図において、記録型光ディスク装置は、記録型光ディスク１、光ディスク１を回転させるスピンドルモータ２、光学ピックアップ（ＰＵ）３、それらを駆動するドライバ４、５などの機構系を有している。また、記録型光ディスク装置は、光学ピックアップ３により光ディスク１から読み取られた信号が入力される、ＨＦ（High Frequency）系と、サーボ系を有する。
【０００３】
ＨＦ系は読み取り信号に対し、２値化、復調、デコード、誤り訂正などを行うＲＦ信号処理部７、記録時には記録データを光学ピックアップ３に記録信号を出力し、光ディスク１に記録データを記録するための記録信号処理部８、ＲＦ信号処理部７と記録信号処理部８とホストインターフェイスの間に接続されたドライブコントローラ９などから構成される。一方、サーボ系は、光ディスク１からのフォーカスエラー信号やトラッキングエラー信号からフォーカスサーボをかけたり、トラッキングサーボをかけたりするサーボ処理部１０からなる。また、ドライブコントローラ９はマイクロプロセッサ１１により制御される。
【０００４】
上記の記録型光ディスク装置において、記録型光ディスク１にデータを記録する場合、事前に記録パワー、消去パワー、記録タイミングなど数多くの記録条件設定を行って記録することが必要である。しかし、光ディスク１には種々の固有のばらつきがあるため、前記設定値はそのディスク毎に最適な値があり、１種類の組み合わせの設定値で記録してしまうと、ディスク固有の最適値とずれてしまい、読み出し信号の劣化等の原因でデータエラーが増加するなどの問題が生じることがある。
【０００５】
そのため、一般的には光ディスク１にデータを正式に記録する前に、ディスク固有の記録条件の最適値を求め、求めた記録条件で記録を行う。これをここでは記録条件学習と呼ぶ。具体的には、基準として定めた光ディスクによる変調度を測定して、各ドライブ毎に最適パワーの設定を行うディスク記録条件学習装置が知られている(例えば、特許文献１参照)。
【０００６】
また、従来は図５に示すブロック図の記録条件学習装置により記録条件学習動作を行うことも行われている。同図中、図４と同一構成部分には同一符号を付し、その説明を省略する。図５では学習パラメータを記録パワーと記録タイミングの２項目としている。図５において、光パワー制御部１６が記録条件学習制御部１４から記録パワー設定値を得て、記録用光パワーを発生し、レーザドライバ１７及び光学ピックアップ３を通じて記録用光パワーで光ビームを光ディスク１に照射する。また、タイミング制御部１５が記録条件学習制御部１４から記録タイミング設定値を得て、所定の記録波形を発生し、レーザドライバ１７及び光学ピックアップ３を通じてデータを上記の光ビームにて光ディスク１に記録する。
【０００７】
これらによって光ディスク１に記録されたデータ信号は同じく光学ピックアップ３で再生されて、ヘッドアンプ６を通してジッタ信号処理部１２及びエンベロープ信号処理部１３にそれぞれ供給され、信号ジッタがジッタ信号処理部１２でジッタ値として検出され、信号エンベロープがエンベロープ信号処理部１３で変調度などとして検出される。
【０００８】
これらの全体制御を記録条件学習制御部１４が受け持つ。記録条件学習制御部１４はジッタ信号処理部１２からのジッタデータと、エンベロープ信号処理部１３からのエンベロープデータとを入力として受け、記録パワーを段階的に制御し、変調度の最適な時の記録パワーを最適記録パワーとして結果を得ると共に、記録タイミングを段階的に制御し、ジッタの最適な時の記録タイミングを最適記録タイミングとして結果を得る。記録条件学習制御部１４はこれらの結果を正式な記録条件値として記録制御部(図示せず)に送り、今後の記録条件として記録時に利用される。以上が一般的な記録条件学習動作である。以下、消去パワーなどの各種設定値でも同様の記録条件学習動作が行われる。
【０００９】
【特許文献１】特開２００２−３５８６４４号公報
【発明の開示】
【発明が解決しようとする課題】
【００１０】
しかるに、上記のように、自己記録再生を行って最適な記録条件を算出する従来の記録条件学習装置は、記録型光ディスク装置（レコーダ）自身で記録再生した結果が得られるため、今後の記録動作に対し最も適当な設定値が得られるが、１つの記録条件を求めるだけで自身で記録再生するために時間がかかってしまい、しかも、記録条件設定値は数が多いため、全部の最適記録条件を算出すると大変時間がかかってしまうという問題がある。
【００１１】
この学習時間を短縮するには、既存の情報を利用するのが有効である。光ディスクには一般的に製造段階でウォブル溝などにプリフォーマットされているディスクインフォメーションというディスクの基本情報が記録されている。このディスクインフォメーションは、光ディスクの属性（大きさ、リライタブルかなど）、記録特性（最適記録パワー、記録タイミング等）、再生特性他が記録されていて、レコーダ（光ディスク装置）は最初にこの情報を読み出し、光ディスクの基本情報として利用する様になっている。
【００１２】
しかし、ディスクインフォメーションは光ディスクの製造ロット単位で内容が同一であり、前記のように光ディスク１枚毎に最適化された情報ではなく、設定値は公称値といえる。従って、全てのメーカの光ディスクに対し、ディスクインフォメーションの情報をそのまま利用するわけにはいかない。
【００１３】
また、信頼できるディスクインフォメーションが見つかれば、その値を信頼する、または、予めレコーダ自身にとっての最適記録条件を記憶しておきその値を利用するとしても、一般的なディスクインフォメーションのフォーマットにはメーカ名といった１つの識別コードで信頼できるか否かを判断できるかのようなものはないのでディスクインフォメーション内の複数の値を照合して信頼できるディスクインフォメーションを推定する必要がある。
【００１４】
本発明は以上の点に鑑みなされたもので、公称値を採用しても事実上支障のないメーカの場合はディスクインフォメーションを信頼してそのままその記録条件値を採用することにより、自己記録再生による記録条件学習動作の時間を短縮し得る記録条件学習装置を提供することを目的とする。
【課題を解決するための手段】
【００１５】
本発明は上記の目的を達成するため、記録媒体に適した記録条件を設定するための記録条件を学習する記録条件学習装置において、記録媒体に予め記録されている当該記録媒体の基本情報を当該記録媒体から読み取る読み取り手段と、媒体メーカ毎の基本情報の値を示す照合用キーと、記録再生により得た記録条件の諸情報からなる設定データのうち、少なくとも照合用キーが格納されている照合用データベースと、読み取り手段からの基本情報と、照合用データベースから読み出した照合用キーとを比較し、両者が一致したときは一致した基本情報をそのまま使用し、又は照合用データベースから一致した照合用キーに対応した設定データを読み出して記録媒体の記録条件として設定する記録条件設定手段とを有し、自己記録再生を行う記録条件学習動作を省略する構成としたものである。
【００１６】
本発明では、記録媒体の製造ロット内での予め記録されている記録条件値を示す基本情報のばらつきは非常に小さいことに着目し、公称値を採用しても事実上支障のないメーカの場合はその基本情報を信頼してそのままその基本情報を採用することにより、上記記録条件学習動作を省略して時間短縮する。
【００１７】
従って、本発明ではレコーダ側に信頼できるメーカ毎の基本情報に対応した照合キーのリストを予め作成しでおき、記録媒体から読み取った基本情報に対応した照合キーがそのリスト内にあれば、信頼できるメーカの基本情報であると判断して、その基本情報の内容をそのまま採用するか、レコーダにとって最適である設定値のデータベースを持っておき、そのデータベース内の設定値を採用するようにする。
【００１８】
記録媒体から読み取った基本情報のメーカ名がそのリスト内に無ければ記録条件は推定できないので、通常の自己記録再生による記録条件学習動作を行って最適記録条件値を自身で求める。これによって、レコーダの実使用条件下で記録条件学習動作時間が削減され、ユーザを待たせる問題を総合的に軽減できる。ここで、上記の記録媒体が記録型光ディスクの場合、上記の予め記録媒体に記録されている基本情報は、ディスクインフォメーションである。
【発明の効果】
【００１９】
本発明によれば、予め既知のメーカの基本情報に対応した照合用キーを記憶する照合用データベースをもつことで、記録媒体から読み取った基本情報に対応した照合キーがそのデータベース内にあれば、信頼できるメーカの基本情報であると判断して、その基本情報の内容をそのまま採用するだけで自己記録再生を省略することができるため、すべての記録媒体について自己記録再生による記録条件学習を行う従来装置よりも総合的な学習時間を短縮することができる。
【００２０】
また、本発明によれば、照合用データベース内の照合用キーとは別のレコーダ自身にとって最適値があるならば、その最適値を設定データとして予め記憶した設定値のデータベースを持ち、その最適値を利用することで、基本情報より最適な記録条件を設定することができる。
【発明を実施するための最良の形態】
【００２１】
次に、本発明を実施するための最良の形態について図面と共に説明する。図１は本発明になる記録条件学習装置の一実施の形態のブロック図を示す。同図中、図５と同一構成部分には同一符号を付してある。図１において、ヘッドアンプ６の出力側にＤＩ読み取り信号処理部１９を介してドライブコントローラ２０が設けられている。ドライブコントローラ２０は、ディスクインフォメーションメモリ２１、照合用データベース２２、比較演算部２３及び設定抽出部２４からなり、光ディスク１にプリフォーマットされているディスクインフォメーション（ＤＩ）の読み取り信号を入力として受け、照合用データベース２２に予め記憶されている照合用情報との比較結果に応じた記録条件設定値を記録条件学習制御部１４に供給する。
【００２２】
次に、本実施の形態の動作について説明する。まず、光学ピックアップ３を光ディスク１の所定領域に移動して、そこにディスク製造段階でプリフォーマットされているディスクインフォメーションａを読み取る。光学ピックアップ３の再生信号は、ヘッドアンプ６を通してＤＩ読み取り信号処理部１９に供給され、ここで再生信号中からディスクインフォメーションａが抽出され、ドライブコントローラ２０内のディスクインフォメーションメモリ２１に供給されて記憶される。
【００２３】
ドライブコントローラ２０は、ディスクインフォメーションからメーカを推定するための照合用情報が予め記憶されており、必要ならば最適記録条件設定値を記憶する照合用データベース２２を有している。ドライブコントローラ２０は、ディスクインフォメーションメモリ２１から読み出したディスクインフォメーションａの値と、照合用データベース２２から読み出した照合用情報とを比較演算部２３で順次照合してゆく。比較演算部２３は、ディスクインフォメーションａの値と照合用情報とが一致した場合には、その比較一致結果を設定抽出部２４へ供給する。
【００２４】
設定抽出部２４は、比較一致結果が入力されたときには、そのときのディスクインフォメーション内の記録条件設定値をそのまま利用するか、照合用データベース２２内に別の最適値がある場合はその設定値を利用する。どちらかの設定値が決まったら設定抽出部２４は、その設定値を記録条件設定値として記録条件学習制御部１４へ出力する。記録条件学習制御部１４は入力された記録条件設定値によって生成した記録タイミング設定値をタイミング制御部１５に供給して所定の記録波形を発生させると共に、入力された記録条件設定値によって生成した記録パワー設定値を光パワー制御部１６に供給して記録用光パワーを発生させ、これらを光学ピックアップ３に供給して、データを設定記録用光パワーで発光する光ビームを変調して光ディスク１に記録する。以降はこの記録条件で記録する。
【００２５】
もし、比較演算部２３で順次照合してディスクインフォメーションａの値と照合用情報とが一致しなかった場合は、記録条件設定が推定できないので、通常通り、自己記録再生による記録条件学習動作を行って記録条件を求める。
【００２６】
図２はディスクインフォメーションの模式的構成と、照合用データベース２２の模式的構成とを示す。ディスクインフォメーションの内容としては、図２（Ａ）に示すように、光ディスクのディスク属性（書き換え型のときＲＷ）、バージョン、記録パワー、消去パワー、記録タイミング情報などからなり、光ディスクの製造メーカなど、簡単にメーカを識別するメーカ名などの項目はないことが特徴である。
【００２７】
そこで、ディスクインフォメーションのこれらの情報から光ディスクの製造メーカ名を推定するには、記録パワー、消去パワー、記録タイミング１、２などの各値をキー情報としてそれらが一致したときに既知のメーカのディスクインフォメーションだと推定すればよい。そこで、本実施の形態の照合用データベース２２には、図２（Ｂ）に示すように、１つのメーカに対し、メーカを識別するディスクインフォメーションの照合用キー（記録パワー、消去パワー、記録タイミング１、２など）が予め複数のメーカ分記憶されており、もし、ディスクインフォメーションの値が照合用キーと一致するときは、その照合用キーから光ディスクの製造メーカを推定し、推定したメーカのディスクインフォメーションの値が信頼できるならば（装置製造時に個々の製品ばらつきが少ないメーカのものと分かっているならば）そのままの記録条件設定値を利用する。
【００２８】
また、図２（Ｂ）に示すように、照合用キーとは別にそのディスク装置にとってディスクインフォメーションとは別に例えば自己記録再生により取得して記憶した最適値が照合用データベースに記憶されているなら、その最適値を設定データとして利用する。
【００２９】
図１の比較演算部２３は、入力されたディスクインフォメーションの値が、図２（Ｂ）のメーカ＃１の照合用キーと不一致ならば、次のメーカ＃２の照合用キーの値を照合してゆく。照合用データベース２２の全ての照合用キーと比較しても一致する照合用キーが無いときには、未知のメーカの光ディスクとして判断する。
【００３０】
次に、図１の記録条件学習の動作を、図３のドライブコントローラの動作フローチャートと共に更に詳細に説明する。光ディスク１が装置に挿入されると、ドライブコントローラ２０は、まず、光学ピックアップ３を光ディスク１上のプリフォーマットされている所定のディスクインフォメーション領域に移動し、記録されているディスクインフォメーション（ＤＩ）ａの内容を読み取る（ステップＳ１）。
【００３１】
読み取られたディスクインフォメーションａの内容は、図１のヘッドアンプ６、ＤＩ読み取り信号処理部１９を通してドライブコントローラ２０のディスクインフォメーションメモリ２１に格納される（ステップＳ２）。続いて、比較演算部２３により、照合用データベース２２から図２に示したメーカ毎のディスクインフォメーションの照合用キーの読み出しがすべて終了したかどうか確認し(ステップＳ３)、終了していなければ、照合用データベース２２から読み出した図２に示したメーカ毎のディスクインフォメーションの照合用キーと、ディスクインフォメーションメモリ２１から読み出したディスクインフォメーションメモリ２１の内容が照合され（ステップＳ４）、両者が不一致ならメーカデータ(照合用キー)を更新して照合を続行する（ステップＳ５、Ｓ３、Ｓ４）。
【００３２】
もし、両者が一致したときは、設定抽出部２４により、そのときのディスクインフォメーションの内容から設定値を読み出すか、照合用データベース２２に記憶されている設定データを読み出して（ステップＳ６）、設定データを記録条件学習制御部１４に送信して（ステップＳ７）、記録学習を終了する(ステップＳ９)。もし、照合用データベース２２にディスクインフォメーションと一致する照合用キーが無かったら（ステップＳ３）、通常の自己記録再生による記録条件学習を行う（ステップＳ８）。
【００３３】
なお、照合用データベース２２から読み出した図２に示したメーカ毎のディスクインフォメーションの照合用キーと、ディスクインフォメーションメモリ２１から読み出した内容が一致した場合、その一致した照合用キーに対応して設定データが記録されている場合には、ディスクインフォメーションの内容をそのまま利用せずに設定データを利用するのは、ディスクインフォメーションのデータはディスクメーカが測定した装置との組み合わせによる最適条件であり、実際に光ディスク１を再生するレコーダ（光ディスク装置）との組み合わせにより得られた値ではないので、最適値であるとはいえない場合があるためである。
【００３４】
従って、例えば、既知のメーカの光ディスクのディスクインフォメーションの記録パワーが「４」であっても、再生するレコーダ（光ディスク装置）の当該既知のメーカの光ディスクに対する記録パワーの最適値が「５」であることが予め装置製造前に実験して分かっている場合には、その最適値が照合用データベース２２に予め格納されているので、そのディスクインフォメーションの記録パワーをそのまま利用せずに、最適な記録パワーの方を利用するのである。
【００３５】
このように、本実施の形態によれば、記録型光ディスクの記録条件を求めるときに、光ディスク１の公称記録条件を記録したディスクインフォメーションａを読み出して、それが既知の値なら信頼できる記録条件として判断し、その値をそのまま記録条件として設定するか、ディスクインフォメーションに対応した設定データが記憶されているときにはその設定データを記録条件として設定して一般的な自己記録再生を行う記録条件学習動作を省略するようにしたため、従来に比べて学習時間を短縮することができる。
【００３６】
なお、本発明は上記の実施の形態に限定されるものではなく、例えば、光ディスク以外の記録媒体でも基本情報が予め記録されている記録媒体については、本発明を適用することができる。また、図２では各メーカについて一つの照合用キーを照合用データベースに格納しているように説明したが、これに限定されるものではなく、同じメーカであっても、ディスクの種類や製造ロットにより、照合用キーは複数種類あってもよい。
【図面の簡単な説明】
【００３７】
【図１】本発明の記録条件学習装置の一実施の形態のブロック図である。
【図２】ディスクインフォメーションと照合用データベースの内容を示す模式図である。
【図３】本発明の記録条件学習装置の要部の動作説明用フローチャートである。
【図４】本発明を適用し得る光ディスク装置の一例のブロック図である。
【図５】従来の記録条件学習装置の一例のブロック図である。
【符号の説明】
【００３８】
１  光ディスク
３  光学ピックアップ
１４  記録条件学習制御部
１５  タイミング制御部
１６  光パワー制御部
１９  ＤＩ読み取り信号処理部
２０  ドライブコントローラ
２１  ディスクインフォメーションメモリ
２２  照合用データベース
２３  比較演算部
２４  設定抽出部
ａ  ディスクインフォメーション
【図１】
2005078742.tif 000003
【図２】
2005078742.tif 000004
【図３】
2005078742.tif 000005
【図４】
2005078742.tif 000006
【図５】
2005078742.tif 000007